(57)【要約】【課題】本体側のリモコンモードを変更した時点でリモコン側のリモコンモードを変更しないとリモコンによる遠隔操作が出来なくなりユーザーに故障との誤認識を与える。【解決手段】遠隔装置により操作される機器であって、前記遠隔操作の信号を受信する受信手段と信号をデコードするデコード手段とリモコンコードを比較するリモコンモード比較手段とリモコンモードを制御する制御手段とリモコンモードを記憶するリモコンモード記憶手段と前記リモコンモード記憶手段が変更された時、警告表示を制御する警告表示制御手段と表示手段を備えた電子機器。【選択図】図１
2005094307.tif 000002
【特許請求の範囲】
【請求項１】
遠隔操作装置により操作される電子機器であって、前記遠隔操作装置から送信される信号を受信する受信手段と、前記受信手段で受信した信号をデコードするデコード手段と、前記デコード手段でデコードした信号に含まれるリモコンコードと本機器で設定されているリモコンモードとを比較するリモコンモード比較手段と、本機器におけるリモコンモード情報を記憶するリモコンモード記憶手段と、前記遠隔操作装置により本機器のリモコンモードを変更するよう指示された場合前記リモコンモード記憶手段に記憶されているリモコンモードを変更する制御手段と、前記リモコンモード記憶手段が変更された時警告表示を制御する警告表示制御手段と、前記警告表示制御手段からの制御により警告表示を行う表示手段とを備えたことを特徴とする電子機器。
【請求項２】
遠隔操作装置により操作され、外部に表示装置を接続する電子機器であって、前記遠隔操作装置から送信される信号を受信する受信手段と、前記受信手段で受信した信号をデコードするデコード手段と、前記デコード手段でデコードした信号に含まれるリモコンコードと本機器で設定されているリモコンモードとを比較するリモコンモード比較手段と、本機器におけるリモコンモード情報を記憶するリモコンモード記憶手段と、前記遠隔操作装置により本機器のリモコンモードを変更するよう指示された場合前記リモコンモード記憶手段に記憶されているリモコンモードを変更する制御手段と、前記リモコンモード記憶手段が変更された時警告表示を制御する警告表示制御手段と、前記警告表示制御手段からの制御により警告表示を前記表示装置に表示するよう制御するＯＳＤ表示手段とを備えたことを特徴とする電子機器。
【請求項３】
遠隔操作装置により操作される電子機器であって、前記遠隔操作装置から送信される信号を受信する受信手段と、前記受信手段で受信した信号をデコードするデコード手段と、前記デコード手段でデコードした信号に含まれるリモコンコードと本機器で設定されているリモコンモードとを比較するリモコンモード比較手段と、本機器におけるリモコンモード情報を記憶するリモコンモード記憶手段と、前記遠隔操作装置により本機器のリモコンモードを変更するよう指示された場合前記リモコンモード記憶手段に記憶されているリモコンモードを変更する制御手段と、前記リモコンモード記憶手段が変更された時警告メッセージを音声出力するための音声信号を生成する音声生成手段と、前記音声生成手段からの音声信号を音声出力する音声出力手段とを備えたことを特徴とする電子機器。
【請求項４】
遠隔操作装置により操作される電子機器であって、前記遠隔操作装置から送信される信号を受信する受信手段と、前記受信手段で受信した信号をデコードするデコード手段と、前記デコード手段でデコードした信号に含まれるリモコンコードと本機器で設定されているリモコンモードとを比較するリモコンモード比較手段と、本機器におけるリモコンモード情報を記憶するリモコンモード記憶手段と、前記遠隔操作装置により本機器のリモコンモードを変更するよう指示された場合前記リモコンモード記憶手段に記憶されているリモコンモードを変更する制御手段と、前記リモコンモード記憶手段が変更された時警告表示を制御する警告表示制御手段と、前記警告表示制御手段からの警告表示信号を前記遠隔操作装置へ送信する送信手段と、前記遠隔操作装置に設けられ前記送信手段からの信号を受信するリモコン側受信手段と、前記遠隔操作装置に設けられ前記リモコン側受信手段で受信した警告表示信号を表示する表示手段とを備えたことを特徴とする電子機器。
【請求項５】
比較手段は、リモコンモードが変更された時、受信手段からの信号を遮断することを特徴とする請求項１及び２の電子機器。
【発明の詳細な説明】
【技術分野】
【０００１】
本発明は、電子機器に関するものである。例えばＶＣＲ、ＴＶ、エアコン等遠隔操作装置によって操作可能な機器に関するものである。
【背景技術】
【０００２】
近年特にＶＣＲにおいてはビデオテープにダビングするために複数のＶＣＲを操作する機会が増えてきている。さらにこの複数のＶＣＲを一つの遠隔操作装置（以下、リモコンと記す）で別々に操作可能な機能も出てきている。
【０００３】
図８において従来の電子機器について説明する。２１は電子機器本体で、本実施の形態では据置タイプのビデオデッキで構成したが、リモコンによって遠隔操作が可能なものであれば、エアコンやテレビなど様々な製品に相当する。２２は電子機器本体２１を遠隔操作できるリモコンで、本実施の形態では赤外線などの無線通信としたが、有線であってもかまわない。２３はリモコン２２から出力された信号を受信する受信部で、本実施の形態の場合、リモコン２２から赤外線からなるリモコン信号が出力されるように構成したので、受信部２３はフォトトランジスタなどで構成される。２４は信号のデコード部。２５はリモコンからの信号とリモコンモード記憶部に記憶された現在のリモコンモードを比較するリモコンモードの比較部、２６はリモコンモードを制御する制御部、２７はリモコンモード記憶部、２８はリモコンモード設定部である。
【０００４】
図１０はリモコン２２の外観平面図で、図において、４１はリモコン本体、４２はメニュー画面を表示させる際に操作するメニューボタン、４３はメニュー画面においてカーソルを上下左右方向へ移動させる際に操作するカーソルボタンで、４３ａは上カーソルボタン、４３ｂは下カーソルボタン、４３ｃは左カーソルボタン、４３ｄは右カーソルボタンであり、それぞれの方向へカーソルを移動させることができる。なお、本実施の形態では上下左右の４方向について、それぞれ独立してカーソルボタンを設けたが、上下左右方向へ操作可能なレバーや単一のカーソルボタンで構成してもよい。４４はカーソルボタン４３の略中央に配されメニュー画面において実行または確定操作を行うことができる実行ボタン、４５はリモコン本体４１のリモコンコードを変更可能なリモコンモードボタンで、１回押す毎に、リモコンモードが「１」→「２」→「３」→「１」のようにトグル動作をするようにしている。４６は表示部で、本実施の形態では液晶表示部としたが、有機ＥＬディスプレイなど他の表示デバイスを用いてもよく、またＬＥＤなどのように発光するだけのデバイスで構成してもよい。
【０００５】
図１１〜図１５は、本装置においてリモコンモードを設定する際に、テレビジョン受像機に各種メニューをＯＳＤ表示させた時の模式図である。図９は従来の電子機器においてリモコンモードの設定動作を説明するためのフローチャートである。
【０００６】
以上のように構成された従来の電子機器について、以下その動作について説明する。
【０００７】
リモコン２２により本体操作を行うと、本体操作コード（電源ＯＮ／ＯＦＦや再生命令などの各種命令を行うコード）と共に、現在設定されているリモコンのリモコンモードの信号が出力される。その信号に対して本体２１側は、受信部２３で受信した信号をデコード部２４でデコードして、リモコンモード比較部２５に入力される。
【０００８】
リモコンモード比較部２５では、現在本体２１側で設定されているリモコンモードと、リモコン２２側から送信されるリモコンモードとを比較して、一致した場合のみ、本体操作コードに基づき本体操作が行なわれる。つまり、本体２１側のリモコンモードが「１」で、リモコン２２側のリモコンモードが「１」の場合は、リモコンモード比較部２５は本体操作コードを動作制御部２９に送るよう許可し、動作制御部２９はその本体操作コードに基づき、本体２１の各種操作が可能になる。
【０００９】
しかし、リモコンモードが一致しない場合、例えば本体２１側のリモコンモードが「１」で、リモコン２２側のリモコンモードが「２」である場合は、リモコンモード比較部２５において動作制御部２９に対して本体操作コードを出力するのを禁止し、本体操作コードに基づいた本体操作を行うことができない。使用者は、このような事態に対して、本体２１側とリモコン２２側とでリモコンモードを一致させる必要がある。
【００１０】
以下その設定動作について、図１０〜図９を用いて説明する。
【００１１】
まず、本体２１側のリモコンモードを変更する場合は、リモコン２２を使用する。図１０におけるリモコン４１のメニューボタン４２を操作し（図９のステップＳ１）、図１１に示すようなメニューを、テレビジョン受像機にＯＳＤ表示させる（図９のステップＳ２）。なお本実施の形態では、テレビジョン受像機としたが、ＣＲＴモニタや液晶モニタなどのように表示する手段であれば、他のものでも構わない。
【００１２】
次に、図１１に示す状態において、カーソルボタン４３の下カーソルボタン４３ｂや上カーソルボタン４３ａを操作することで、カーソル５１を上下方向へ自由に移動させることができ、例えば図１２に示す位置へカーソル５１を移動させることもできる。図１１に示すように「モード設定」にカーソル５１が位置している状態で実行ボタン４４を操作することで、図１３に示すようなモード設定メニューを開くことができる（図９のステップＳ３）。
【００１３】
次に、図１３に示す状態から、カーソル５１を「リモコンモード」の位置へ移動させる必要がある。その際、カーソルボタン４３の下カーソルボタン４３ｂを操作することでカーソル５１を下方向へ移動させることができ、２回操作することで図１４に示すように「リモコンモード」の位置へカーソル５１を移動させることができる。
【００１４】
次に、図１４に示す状態から、カーソルボタン４３の左カーソルボタン４３ｃや右カーソルボタン４３ｄを操作することで、四角形状のカーソル５２を左右に移動させることができるので、図示の場合は、右カーソルボタン４３ｄを１回操作することで、図１５に示すようにリモコンモード「１」を「２」に設定変更することができる（図９のステップＳ４）。次に、実行ボタン４４を操作して、本体２１側のリモコンモード設定を完了する（図９のステップＳ５）。
【００１５】
次に、リモコン２２側のリモコンモードの変更する。具体的な操作方法は、リモコン４１に設けられたリモコンモードボタン４５を操作することで、設定を変更することができる。例えば、本実施の形態の場合は、現在リモコン側のリモコンモードが「１」に設定されていて、リモコンモードボタン４５を１回操作することでリモコンモードを「２」に変更することができる。なお、本実施の形態では、単にリモコンモードボタン４５を押すことで設定を変更できるようにしたが、例えばリモコンモードボタン４５を数秒間長押しすることで、リモコンモードを変更可能なモードへ移行するような構成としてもよい。そのようにすることで、簡単に設定が変わるのを防ぐことができるため、例えばリモコン４１の操作中に不用意に指がリモコンモードボタン４５に触れて操作してしまうのを防止することができる。
【００１６】
このように、本体２１側のリモコンモードを変更して、次にリモコン２２側のリモコンモードを変更することで、リモコンモードを変更してリモコン２２で本体２１を遠隔操作することができるようになる。
【特許文献１】特許第３３６０４３９号公報
【発明の開示】
【発明が解決しようとする課題】
【００１７】
しかしながら上記の従来の構成では、本体２１側のリモコンモードを変更した時点でリモコン２２側のリモコンモードを変更しないと、リモコン２２による遠隔操作が出来なくなり、ユーザーに故障との誤認識を与えるという問題を有していた。
【課題を解決するための手段】
【００１８】
本発明はリモコンモード設定変更時にリモコン側の設定変更を促す表示を出力することを特徴とする
【発明の効果】
【００１９】
本発明のリモコンモード設定変更時にリモコン側の設定変更を促す表示を出力することことによりリモコン側の設定変更忘れによる故障との御認識を防止するという利点がある。
【発明を実施するための最良の形態】
【００２０】
（実施の形態１）
図１は、本発明の実施の形態１の電子機器の構成を示すブロック図である。
【００２１】
図１において、１は電子機器本体で、本実施の形態では据置タイプのビデオデッキで構成したが、リモコンによって遠隔操作が可能なものであれば、エアコンやテレビなど様々な製品に相当する。２は電子機器本体１を遠隔操作できるリモコンで、本実施の形態では赤外線などの無線通信としたが、有線であってもかまわない。３はリモコン２から出力された信号を受信する受信部で、本実施の形態の場合、リモコン２から赤外線からなるリモコン信号が出力されるように構成したので、受信部３はフォトトランジスタなどで構成される。４は信号のデコード部、５はリモコン２からの信号とリモコンモード記憶部に記憶された現在のリモコンモードを比較するリモコンモードの比較部、６はリモコンモードを制御する制御部、７は本体１側のリモコンモードを記憶するリモコンモード記憶部、１０はリモコン２に設けられたリモコンモード設定部であり、後述するが図１０に示すリモコンの各種ボタンに相当するものであり、本体１側とリモコン２側の両方のリモコンモードを設定することができる。８は制御部６からの制御により警告表示を制御する警告表示制御部、１１は警告表示制御部８からの制御により実際に警告表示を行う表示部であり、例えば本体１に設けられた液晶表示デバイスや蛍光管表示デバイスなどのように本体１に設けられた表示デバイスに相当する。９は本体１が持つ各種機能を動作させるための動作制御部で、例えばＶＴＲの場合、再生動作を行うために回転ヘッドを回転させたり、キャプスタン及びリール台を駆動してテープを走行させたりするなどの、各種動作を制御するものである。なお本実施の形態ではＶＴＲとして説明したが、リモコンにより遠隔操作が可能な電子機器であればこれに限定されない。
【００２２】
図１０はリモコン２の外観平面図で、図において、４１はリモコン本体、４２はメニュー画面を表示させる際に操作するメニューボタン、４３はメニュー画面においてカーソルを上下左右方向へ移動させる際に操作するカーソルボタンで、４３ａは上カーソルボタン、４３ｂは下カーソルボタン、４３ｃは左カーソルボタン、４３ｄは右カーソルボタンであり、それぞれの方向へカーソルを移動させることができる。なお、本実施の形態では上下左右の４方向について、それぞれ独立してカーソルボタンを設けたが、上下左右方向へ操作可能なレバーや単一のカーソルボタンで構成してもよい。４４はカーソルボタン４３の略中央に配されメニュー画面において実行または確定操作を行うことができる実行ボタン、４５はリモコン本体４１のリモコンコードを変更可能なリモコンモードボタンで、１回押す毎に、リモコンモードが「１」→「２」→「３」→「１」のようにトグル動作をするようにしている。４６は表示部で、本実施の形態では液晶表示部としたが、有機ＥＬディスプレイなど他の表示デバイスを用いてもよく、またＬＥＤなどのように発光するだけのデバイスで構成してもよい。なお、表示部４６は必ずしも装備しておく必要性はなく、近年のリモコンには一般的に装備されているので表現した。
【００２３】
図１１〜図１５は、本装置においてリモコンモードを設定する際に、表示部１１やテレビジョン受像機に各種メニューをＯＳＤ表示させた時の模式図である。図２は本実施の形態の電子機器においてリモコンモードの設定動作を説明するためのフローチャートである。
【００２４】
以上のように構成された本実施の形態の電子機器について、以下その動作について説明する。
【００２５】
リモコン２により本体操作を行うと、本体操作コード（電源ＯＮ／ＯＦＦや再生命令などの各種命令を行うコード）と共に、現在設定されているリモコンのリモコンモードの信号が出力される。その信号に対して本体１側は、受信部３で受信した信号をデコード部４でデコードして、リモコンモード比較部５に入力される。
【００２６】
リモコンモード比較部５では、現在本体１側で設定されているリモコンモードと、リモコン２側から送信されるリモコンモードとを比較して、一致した場合のみ、本体操作コードに基づき動作制御部９にて本体操作が行なわれる。つまり、本体１側のリモコンモードが「１」で、リモコン２側のリモコンモードが「１」の場合は、リモコンモード比較部５は本体操作コードを動作制御部９に送るよう許可し、動作制御部９はその本体操作コードに基づき、本体１の各種操作が可能になる。
【００２７】
しかし、リモコンモードが一致しない場合、例えば本体１側のリモコンモードが「１」で、リモコン２側のリモコンモードが「２」である場合は、リモコンモード比較部５において動作制御部９に対して本体操作コードを出力するのを禁止し、本体操作コードに基づいた本体操作を行うことができない。使用者は、このような事態に対して、本体１側とリモコン２側とでリモコンモードを一致させる必要がある。
【００２８】
以下その設定動作について、図１０〜図１５及び図２を用いて説明する。
【００２９】
まず、本体１側のリモコンモードを変更する場合は、リモコン２を使用する。図１０におけるリモコン４１のメニューボタン４２を操作し（図９のステップＳ１）、図１１に示すようなメニューを、警告表示制御部８からの制御により表示部１１に表示させる（図９のステップＳ２）。
【００３０】
次に、図１１に示す状態において、カーソルボタン４３の下カーソルボタン４３ｂや上カーソルボタン４３ａを操作することで、カーソル５１を上下方向へ自由に移動させることができ、例えば図１２に示す位置へカーソル５１を移動させることもできる。図１１に示すように「モード設定」にカーソル５１が位置している状態で実行ボタン４４を操作することで、図１３に示すようなモード設定メニューを開くことができる（図９のステップＳ３）。
【００３１】
次に、図１３に示す状態から、カーソル５１を「リモコンモード」の位置へ移動させる必要がある。その際、カーソルボタン４３の下カーソルボタン４３ｂを操作することでカーソル５１を下方向へ移動させることができ、２回操作することで図１４に示すように「リモコンモード」の位置へカーソル５１を移動させることができる。
【００３２】
次に、図１４に示す状態から、カーソルボタン４３の左カーソルボタン４３ｃや右カーソルボタン４３ｄを操作することで、四角形状のカーソル５２を左右に移動させることができるので、図示の場合は、右カーソルボタン４３ｄを１回操作することで、図１５に示すようにリモコンモード「１」を「２」に設定変更することができる（図９のステップＳ４）。
【００３３】
ここで、リモコンモードを設定変更すると、制御部６は警告表示制御部８に対して警告表示するよう命令を出す。警告表示制御部８はその命令に基づき、図１６に示すような警告表示の信号を生成し、表示部１１に出力する。表示部１１は図１６に示すように警告表示を行う（図９のステップＳ１０）。
【００３４】
次に、実行ボタン４４を操作して、本体２１側のリモコンモード設定を完了する（図９のステップＳ５）。
【００３５】
次に、リモコン２側のリモコンモードの変更する。具体的な操作方法は、リモコン４１に設けられたリモコンモードボタン４５を操作することで、設定を変更することができる。例えば、本実施の形態の場合は、現在リモコン側のリモコンモードが「１」に設定されていて、リモコンモードボタン４５を１回操作することでリモコンモードを「２」に変更することができる（図９のステップＳ６）。
【００３６】
なお、本実施の形態では、単にリモコンモードボタン４５を押すことで設定を変更できるようにしたが、例えばリモコンモードボタン４５を数秒間長押しすることで、リモコンモードを変更可能なモードへ移行するような構成としてもよい。そのようにすることで、簡単に設定が変わるのを防ぐことができるため、例えばリモコン４１の操作中に不用意に指がリモコンモードボタン４５に触れて操作してしまうのを防止することができる。
【００３７】
このように、本体１側のリモコンモードを変更して、次にリモコン２側のリモコンモードを変更することで、リモコンモードを変更してリモコン２で本体２１を遠隔操作することができるようになる。
【００３８】
以上のように本実施の形態によれば、本体１側のリモコンモードを変更した時に、本体１の表示部１１に、使用者に対してリモコン側のリモコンモードの変更を促す表示を出力するよう制御することで、本体１側のリモコンモードを設定変更した後すぐに使用者においてリモコン２側のリモコンモードの設定変更を案内することができ、使用者の設定間違いによって生じるリモコンモードの相違による遠隔操作不可状態に陥るのを、軽減することができる。
【００３９】
なお、本実施の形態では、図１６に示すように「リモコンモードを「２」にしてください」なる文章の表示としたが、この文章内容に限定されるものではない。もちろん、本体１側のリモコンモードを「２」から「１」に変更した際には、「リモコンモードを「１」にしてください」という表示を行うことは言うまでもない。また、本実施の形態では、日本語文章による表示したが、外国語文章でもよく、さらに設定変更を促すような図形やイラスト表示を行う構成としてもよい。
【００４０】
（実施の形態２）
図３は、本発明の実施の形態２の構成を示すブロック図であって、図において１１１〜１２０は、図１の１〜１０と同様の構成要素であるので、詳細な説明は省略する。図３において、１２２は本体１１１にケーブルなどを介して外部接続された表示装置であり、本実施の形態では本体１１１をＶＴＲと仮定しているため表示装置１２２はテレビジョン受像機に相当するが、これに限ることはなく、少なくとも映像信号を表示することができればＣＲＴモニタやパソコン用の液晶モニタなどであってもかまわない。１２１は表示装置１２２に警告メッセージを表示するための信号を生成するＯＳＤ表示部である。ここで、本実施の形態の動作については、前述の実施の形態１の動作とほとんど同じであり、異なるのは、警告表示の方法がＯＳＤ表示部１２１によって生成された警告メッセージ（図１６）を、外部接続された表示装置１２２に表示する点である。
【００４１】
以上のように本実施の形態によれば、本体１１１側のリモコンモードを変更した時に、外部接続された表示装置１２２に、使用者に対してリモコン側のリモコンモードの変更を促す警告メッセージの表示を出力するよう制御することで、本体１１１側のリモコンモードを設定変更した後すぐに使用者においてリモコン１１２側のリモコンモードの設定変更を案内することができ、使用者の設定間違いによって生じるリモコンモードの相違による遠隔操作不可状態に陥るのを、軽減することができる。また本実施の形態では、外部接続された表示装置１２２に警告表示をする構成としたので、テレビジョン受像機を接続して使用するＶＴＲやＤＶＤレコーダー／プレーヤやオーディオ機器に適用すると、より効果を発揮する。
【００４２】
（実施の形態３）
図４は、本発明の実施の形態３の構成を示すブロック図である。図において３０１〜３０７、３０９、３１０は、図１の１〜７、９、１０と同様の構成要素であるので、詳細な説明は省略する。本実施の形態で異なる構成について説明する。図４において、３０８は制御部３０６からの制御により本体３０１のリモコンモードを変更した時に警告メッセージを音声信号として生成する音声生成部、３１１は音声生成部３０８で生成された音声信号を出力する音声出力部で、例えば本体３０１に装備されたスピーカに相当するものである。本実施の形態では音声出力部３１１は本体３０１内に装備された構成としたが、外部接続されたアンプ及びスピーカであっても構わない。また、外部接続された音声出力部の場合は、その一例として点線にて接続指示したように、表示装置３１４（例えばテレビジョン受像機）に装備されたスピーカから出力するようにしてもよい。３１２は制御部３１６からの制御により警告表示を行うよう制御する表示制御部、３１３は表示制御部３１２からの制御により警告表示をＯＳＤ信号として生成するＯＳＤ制御部、３１４は本体３０１に外部接続された表示装置で、例えばテレビジョン受像機に相当し、音声出力するためのアンプやスピーカなどを装備していてもよい。
【００４３】
以上のように構成された本実施の形態の電子機器について、以下その動作について説明する。
【００４４】
リモコン３０２により本体操作を行うと、本体操作コード（電源ＯＮ／ＯＦＦや再生命令などの各種命令を行うコード）と共に、現在設定されているリモコンのリモコンモードの信号が出力される。その信号に対して本体３０１側は、受信部３０３で受信した信号をデコード部３０４でデコードして、リモコンモード比較部３０５に入力される。
【００４５】
リモコンモード比較部３０５では、現在本体３０１側で設定されているリモコンモードと、リモコン３０２側から送信されるリモコンモードとを比較して、一致した場合のみ、本体操作コードに基づき動作制御部９にて本体操作が行なわれる。つまり、本体３０１側のリモコンモードが「１」で、リモコン３０２側のリモコンモードが「１」の場合は、リモコンモード比較部３０５は本体操作コードを動作制御部３０９に送るよう許可し、動作制御部３０９はその本体操作コードに基づき、本体３０１の各種操作が可能になる。
【００４６】
しかし、リモコンモードが一致しない場合、例えば本体３０１側のリモコンモードが「１」で、リモコン３０２側のリモコンモードが「２」である場合は、リモコンモード比較部３０５において動作制御部３０９に対して本体操作コードを出力するのを禁止し、本体操作コードに基づいた本体操作を行うことができない。使用者は、このような事態に対して、本体３０１側とリモコン３０２側とでリモコンモードを一致させる必要がある。
【００４７】
以下その設定動作について、図１０〜図１５、図５を用いて説明する。
【００４８】
まず、本体３０１側のリモコンモードを変更する場合は、リモコン３０２を使用する。図１０におけるリモコン４１のメニューボタン４２を操作し（図５のステップＳ１）、図１１に示すようなメニューを、警告表示制御部８からの制御により表示部１１に表示させる（図５のステップＳ２）。
【００４９】
次に、図１１に示す状態において、カーソルボタン４３の下カーソルボタン４３ｂや上カーソルボタン４３ａを操作することで、カーソル５１を上下方向へ自由に移動させることができ、例えば図１２に示す位置へカーソル５１を移動させることもできる。図１１に示すように「モード設定」にカーソル５１が位置している状態で実行ボタン４４を操作することで、図１３に示すようなモード設定メニューを開くことができる（図５のステップＳ３）。
【００５０】
次に、図１３に示す状態から、カーソル５１を「リモコンモード」の位置へ移動させる必要がある。その際、カーソルボタン４３の下カーソルボタン４３ｂを操作することでカーソル５１を下方向へ移動させることができ、２回操作することで図１４に示すように「リモコンモード」の位置へカーソル５１を移動させることができる。
【００５１】
次に、図１４に示す状態から、カーソルボタン４３の左カーソルボタン４３ｃや右カーソルボタン４３ｄを操作することで、四角形状のカーソル５２を左右に移動させることができるので、図示の場合は、右カーソルボタン４３ｄを１回操作することで、図１５に示すようにリモコンモード「１」を「２」に設定変更することができる（図５のステップＳ４）。
【００５２】
ここで、リモコンモードを設定変更すると、制御部３０６は音声生成部３０８に対して警告メッセージを音声として出力するよう命令を出す。音声生成部３０８はその命令に基づき、例えば「リモコンモードヲ２ニキリカエテクダサイ」なる警告メッセージの音声信号を生成し、音声出力部３１１に出力する。音声出力部３１１は警告メッセージの音声出力を行う（図５のステップＳ１１）。
【００５３】
次に、実行ボタン４４を操作して、本体３０１側のリモコンモード設定を完了する（図５のステップＳ５）。
【００５４】
次に、リモコン３０２側のリモコンモードの変更する。具体的な操作方法は、リモコン４１に設けられたリモコンモードボタン４５を操作することで、設定を変更することができる。例えば、本実施の形態の場合は、現在リモコン側のリモコンモードが「１」に設定されていて、リモコンモードボタン４５を１回操作することでリモコンモードを「２」に変更することができる（図５のステップＳ６）。
【００５５】
なお、本実施の形態では、単にリモコンモードボタン４５を押すことで設定を変更できるようにしたが、例えばリモコンモードボタン４５を数秒間長押しすることで、リモコンモードを変更可能なモードへ移行するような構成としてもよい。そのようにすることで、簡単に設定が変わるのを防ぐことができるため、例えばリモコン４１の操作中に不用意に指がリモコンモードボタン４５に触れて操作してしまうのを防止することができる。
【００５６】
このように、本体３０１側のリモコンモードを変更して、次にリモコン３０２側のリモコンモードを変更することで、リモコンモードを変更してリモコン３０２で本体３０１を遠隔操作することができるようになる。
【００５７】
以上のように本実施の形態によれば、本体３０１側のリモコンモードを変更した時に、本体３０１の表示部３１１に、使用者に対してリモコン側のリモコンモードの変更を促す音声を出力するよう制御することで、本体３０１側のリモコンモードを設定変更した後すぐに使用者においてリモコン３０２側のリモコンモードの設定変更を案内することができ、使用者の設定間違いによって生じるリモコンモードの相違による遠隔操作不可状態に陥るのを、軽減することができる。
【００５８】
なお、本実施の形態において、本体３０１に音声出力手段がない場合は、外部接続された表示装置３１４に設けられた音声出力手段から音声出力する構成としてもよい。
【００５９】
（実施の形態４）
図６は本発明の実施の形態４の構成を示すブロック図である。
【００６０】
図６において、４０１は電子機器本体で、本実施の形態では据置タイプのビデオデッキで構成したが、リモコンによって遠隔操作が可能なものであれば、エアコンやテレビなど様々な製品に相当する。４０２は電子機器本体４０１を遠隔操作できるリモコンで、本実施の形態では赤外線などの無線通信としたが、有線であってもかまわない。４０３はリモコン４０２から出力された信号を受信する受信部で、本実施の形態の場合、リモコン４０２から赤外線からなるリモコン信号が出力されるように構成したので、受信部４０３はフォトトランジスタなどで構成される。４０４は受信部４０３で受信したリモコン信号のデコードを行うデコード部、４０５はリモコン４０２からの信号とリモコンモード記憶部に記憶された現在のリモコンモードを比較するリモコンモードの比較部、４０６はリモコンモードを制御する制御部、４０７は本体４０１側のリモコンモードを記憶するリモコンモード記憶部、４１０はリモコン４０２に設けられたリモコンモード設定部であり、図１０に示すリモコンの各種ボタンに相当するものであり、本体４０１側とリモコン４０２側の両方のリモコンモードを設定することができる。４０８は制御部４０６からの制御によりメニュー表示などを行うよう制御する表示制御部、４１１は表示制御部４０８からの制御により実際にメニュー表示などを行う表示部であり、例えば本体４０１に設けられた液晶表示デバイスや蛍光管表示デバイスなどのように本体４０１に内蔵された表示デバイスに相当する。４０９は本体４０１が持つ各種機能を動作させるための動作制御部で、例えばＶＴＲの場合、再生動作を行うために回転ヘッドを回転させたり、キャプスタン及びリール台を駆動してテープを走行させたりするなどの、各種動作を制御するものである。なお本実施の形態ではＶＴＲとして説明したが、リモコンにより遠隔操作が可能な電子機器であればこれに限定されない。４１２は制御部４０６からの制御により警告表示を行うための信号を生成する警告表示制御部、４１３は警告表示制御部４１２で生成された警告表示の信号をリモコン４０２に送信するための送信部で、例えば赤外線による送信を行う場合は発光ダイオードから構成されるが、送信手段はこれに限定されるものではなく、電波などでも構わない。４１４はリモコン４０２に設けられ送信部４１３から送信される信号を受信する受信部、４１５はリモコン４０２に設けられ受信部４１４で受信した信号を表示する表示部であり、図１０の表示部４６に相当するものであり、液晶表示デバイスや有機ＥＬデバイスなどが考えられるがその他の表示デバイスであってもよい。なお、送信部４１３と受信部４１４との間での通信は、無線でも有線でも構わないが、利便性を考えると無線が好ましい。無線通信の場合は、通信媒体が赤外線であっても電波であっても、送信側と受信側とでプロトコルを合わせておけば、様々な通信に対応できる。
【００６１】
以上のように構成された本実施の形態の電子機器について、以下その動作について説明する。
【００６２】
リモコン４０２により本体操作を行うと、本体操作コード（電源ＯＮ／ＯＦＦや再生命令などの各種命令を行うコード）と共に、現在設定されているリモコンのリモコンモードの信号が出力される。その信号に対して本体４０１側は、受信部４０３で受信した信号をデコード部４０４でデコードして、リモコンモード比較部４０５に入力される。
【００６３】
リモコンモード比較部４０５では、現在本体４０１側で設定されているリモコンモードと、リモコン４０２側から送信されるリモコンモードとを比較して、一致した場合のみ、本体操作コードに基づき動作制御部４０９にて本体操作が行なわれる。つまり、本体４０１側のリモコンモードが「１」で、リモコン４０２側のリモコンモードが「１」の場合は、リモコンモード比較部４０５は本体操作コードを動作制御部４０９に送るよう許可し、動作制御部４０９はその本体操作コードに基づき、本体４０１の各種操作が可能になる。
【００６４】
しかし、リモコンモードが一致しない場合、例えば本体４０１側のリモコンモードが「１」で、リモコン４０２側のリモコンモードが「２」である場合は、リモコンモード比較部４０５において動作制御部４０９に対して本体操作コードを出力するのを禁止し、本体操作コードに基づいた本体操作を行うことができない。使用者は、このような事態に対して、本体４０１側とリモコン４０２側とでリモコンモードを一致させる必要がある。
【００６５】
以下その設定動作について、図１０〜図１５の模式図及び図７のフローチャートを用いて説明する。
【００６６】
まず、本体４０１側のリモコンモードを変更する場合は、リモコン４０２を使用する。図１０におけるリモコン４１のメニューボタン４２を操作し（図７のステップＳ１）、図１１に示すようなメニューを、警告表示制御部４０８からの制御により表示部４１１に表示させる（図７のステップＳ２）。
【００６７】
次に、図１１に示す状態において、カーソルボタン４３の下カーソルボタン４３ｂや上カーソルボタン４３ａを操作することで、カーソル５１を上下方向へ自由に移動させることができ、例えば図１２に示す位置へカーソル５１を移動させることもできる。図１１に示すように「モード設定」にカーソル５１が位置している状態で実行ボタン４４を操作することで、図１３に示すようなモード設定メニューを開くことができる（図５のステップＳ３）。
【００６８】
次に、図１３に示す状態から、カーソル５１を「リモコンモード」の位置へ移動させる必要がある。その際、カーソルボタン４３の下カーソルボタン４３ｂを操作することでカーソル５１を下方向へ移動させることができ、２回操作することで図１４に示すように「リモコンモード」の位置へカーソル５１を移動させることができる。
【００６９】
次に、図１４に示す状態から、カーソルボタン４３の左カーソルボタン４３ｃや右カーソルボタン４３ｄを操作することで、四角形状のカーソル５２を左右に移動させることができるので、図示の場合は、右カーソルボタン４３ｄを１回操作することで、図１５に示すようにリモコンモード「１」を「２」に設定変更することができる（図５のステップＳ４）。
【００７０】
ここで、リモコンモードを設定変更すると、制御部４０６は警告表示制御部４１２に対して警告表示するよう命令を出す。警告表示制御部４１２はその命令に基づき、「リモコンモードを「２」にしてください」なる警告メッセージの信号を生成し、送信部４１３に出力する。送信部４１３は、例えば発光ダイオードよりなる送信手段を用いて、リモコン４０２の受信部４１４へ送信出力する（図７のステップＳ１２）。リモコン４０２の受信部４１４は送信部４１３から送信されてくる信号を受信し、表示部４１５に警告メッセージを表示する（図７のステップＳ１３）。次に、実行ボタン４４を操作して、本体４０１側のリモコンモード設定を完了する（図７のステップＳ５）。
【００７１】
次に、リモコン４０２側のリモコンモードの変更する。具体的な操作方法は、リモコン４１に設けられたリモコンモードボタン４５を操作することで、設定を変更することができる。例えば、本実施の形態の場合は、現在リモコン側のリモコンモードが「１」に設定されていて、リモコンモードボタン４５を１回操作することでリモコンモードを「２」に変更することができる（図７のステップＳ６）。
【００７２】
なお、本実施の形態では、単にリモコンモードボタン４５を押すことで設定を変更できるようにしたが、例えばリモコンモードボタン４５を数秒間長押しすることで、リモコンモードを変更可能なモードへ移行するような構成としてもよい。そのようにすることで、簡単に設定が変わるのを防ぐことができるため、例えばリモコン４１の操作中に不用意に指がリモコンモードボタン４５に触れて操作してしまうのを防止することができる。
【００７３】
このように、本体４０１側のリモコンモードを変更して、次にリモコン４０２側のリモコンモードを変更することで、リモコンモードを変更してリモコン４０２で本体４０１を遠隔操作することができるようになる。
【００７４】
以上のように本実施の形態によれば、本体４０１側のリモコンモードを変更した時に、リモコン４０２の表示部４１５に、使用者に対してリモコン側のリモコンモードの変更を促す表示を出力するよう制御することで、本体４０１側のリモコンモードを設定変更した後すぐに使用者においてリモコン４０２側のリモコンモードの設定変更を案内することができ、使用者の設定間違いによって生じるリモコンモードの相違による遠隔操作不可状態に陥るのを、軽減することができる。
【００７５】
なお、上記全ての実施の形態において、リモコンモードを変更した後、確定操作をする前に警告表示を行う構成としたが、リモコンモードを変更した後、メニューボタンを操作して「確定」した後、警告表示を行う構成としてもよい。
【産業上の利用可能性】
【００７６】
本発明にかかる電子機器は、リモコンによる遠隔操作を行えるものであれば、様々な機器に応用できる。例えばＶＣＲ、ＴＶ、エアコン等遠隔操作装置によって操作可能な機器に適用可能である。
【図面の簡単な説明】
【００７７】
【図１】本発明の実施の形態１に於ける電子機器の実施方法を示した構成のブロック図
【図２】同実施の形態におけるリモコンモードを変更する手順を示すフローチャート
【図３】本発明の実施の形態２の構成を示すブロック図
【図４】本発明の実施の形態３の構成を示すブロック図
【図５】同実施の形態におけるリモコンモードを変更する手順を示すフローチャート
【図６】本発明の実施の形態４の構成を示すブロック図
【図７】同実施の形態におけるリモコンモードを変更する手順を示すフローチャート
【図８】従来の電子機器の構成を示すブロック図
【図９】従来の電子機器におけるリモコンモードの設定変更手順を示すフローチャート
【図１０】リモコンの構成を示す平面図
【図１１】メニュー画面の構成を示す模式図
【図１２】メニュー画面の構成を示す模式図
【図１３】メニュー画面の構成を示す模式図
【図１４】メニュー画面の構成を示す模式図
【図１５】メニュー画面の構成を示す模式図
【図１６】本発明の実施の形態における警告表示状態を示す模式図
【符号の説明】
【００７８】
１    本体
２    リモコン
３    受信部
４    デコード部
５    リモコンモード比較部
６    制御部
７    リモコンモード記憶部
８    警告表示制御部
９    動作制御部
１０    リモコンモード設定部
１１    表示部
【図１】
2005094307.tif 000003
【図２】
2005094307.tif 000004
【図３】
2005094307.tif 000005
【図４】
2005094307.tif 000006
【図５】
2005094307.tif 000007
【図６】
2005094307.tif 000008
【図７】
2005094307.tif 000009
【図８】
2005094307.tif 000010
【図９】
2005094307.tif 000011
【図１０】
2005094307.tif 000012
【図１１】
2005094307.tif 000013
【図１２】
2005094307.tif 000014
【図１３】
2005094307.tif 000015
【図１４】
2005094307.tif 000016
【図１５】
2005094307.tif 000017
【図１６】
2005094307.tif 000018